(57)【要約】【課題】  駆動部を有するにも拘わらず小型の撮像装置を提供する。【解決手段】  撮像装置１は、つり軸１２が一体的に形成されたシャーシ３と、シャーシ３に取り付けられた撮像ユニット２と、レンズ１６を保持する玉枠１７に形成したつり軸孔１９にシャーシ３のつり軸１２を嵌合して、玉枠１７を光軸方向に移動可能に支持し、撮像ユニット２に被写体の光学像を結像する光学ユニット４と、玉枠１７を光軸方向に駆動する駆動部５とからなる。つり軸１２は、円柱の円柱面１２ａに、少なくとも２つの軸方向に延びる前記シャーシ３から遠いほど深い軸溝１２ｂを設けた形状とする。【選択図】  図４
2005308873.tif 000002
【特許請求の範囲】
【請求項１】
つり軸が一体的に形成されたシャーシと、
レンズを保持する玉枠に形成したつり軸孔に前記シャーシのつり軸を嵌合して、前記玉枠を光軸方向に移動可能に支持しした光学ユニットと、
前記玉枠を光軸方向に駆動する駆動部とからなり、
前記つり軸は、円柱の円柱面に、軸方向に延びる少なくとも２つの、前記シャーシから遠いほど深い軸溝を設けた形状であることを特徴とする撮像レンズ装置。
【請求項２】
前記つり軸孔は、前記円柱面に嵌合する丸孔の円筒面に、軸方向に延びる少なくとも２つの、一端から他端に向かって深くなる孔溝を設けた形状であり、
前記孔溝は、前記つり軸の軸溝と対向するように配置されていることを特徴とする請求項１に記載の撮像レンズ装置。
【請求項３】
つり軸が一体的に形成されたシャーシと、
該シャーシに取り付けられた撮像ユニットと、
レンズを保持する玉枠に形成したつり軸孔に前記シャーシのつり軸を嵌合して、前記玉枠を光軸方向に移動可能に支持し、前記撮像ユニットに被写体の光学像を結像する光学ユニットと、
前記玉枠を光軸方向に駆動する駆動部とからなり、
前記つり軸は、円柱の円柱面に、軸方向に延びる少なくとも２つの、前記シャーシから遠いほど深い軸溝を設けた形状であることを特徴とする撮像装置。
【請求項４】
前記つり軸孔は、前記円柱面に嵌合する丸孔の円筒面に、軸方向に延びる少なくとも２つの、一端から他端に向かって深くなる孔溝を設けた形状であり、
前記孔溝は、前記つり軸の軸溝と対向するように配置されていることを特徴とする請求項３に記載の撮像装置。
【発明の詳細な説明】
【技術分野】
【０００１】
本発明は、携帯電話、ＰＨＳ（簡易型携帯電話）、ＰＤＡ（携帯情報端末）、モバイルパソコン等の携帯機器や、監視カメラ等に内臓もしくは装着される撮像レンズ装置および撮像装置に関する。
【背景技術】
【０００２】
近年、カメラを搭載した携帯電話等が普及している。携帯電話に搭載されるカメラの撮像素子は、高画素化の傾向にあり、現在では３１万画素が普通になっており、１００万画素も実用化されている。これらの高画素の撮像素子を含む撮像ユニットは、１辺１０ｍｍ以下（矩形状）の大きさのものが開発されている。一方、カメラのレンズも、撮像ユニットと同様に小型化されている。
【０００３】
特許文献１には、撮像ユニットとレンズ部とからなる携帯電話に適した小型の撮像装置が提案されている。この撮像装置では、レンズ部に２つのレンズを用いることで収差補正の自由度を増している。また、第１レンズを一体に形成した角管状の第１支持部材を撮像ユニットに位置決めし、第２レンズを取り付けた第２支持部材を第１支持部材に位置決めすることで、２つのレンズの合焦調整を不要としている。
【０００４】
しかし、撮像素子が高画素化されると、焦点合わせが必要であり、このためにレンズを光軸方向に移動させる駆動部を設けなければならなくなる。しかし、駆動部を設けると、カメラユニットが大きくなり、携帯電話等への搭載が困難となる。
【０００５】
また、レンズを保持する玉枠を光軸方向に移動可能につり軸で保持する型式の撮像装置では、撮像素子やレンズが小型化しても、小径のつり軸やつり軸孔を高精度に加工するには限界があった。特に、一辺が１０ｍｍ以下の撮像ユニットを有する撮像装置の場合には、つり軸の傾き精度や、つり軸とつり軸孔の嵌めあい精度を満足することが困難である。
【０００６】
【特許文献１】特開２００２−１３９６６２号公報
【発明の開示】
【発明が解決しようとする課題】
【０００７】
本発明は、前記従来の問題点に鑑みてなされたもので、玉枠のつり軸とつり軸孔の高精度の嵌め合いにより、高精度の焦点調整が可能な小型の撮像レンズ装置および撮像装置を提供することを目的とする。
【課題を解決するための手段】
【０００８】
前記目的を達成するために、本発明は、
つり軸が一体的に形成されたシャーシと、
レンズを保持する玉枠に形成したつり軸孔に前記シャーシのつり軸を嵌合して、前記玉枠を光軸方向に移動可能に支持しした光学ユニットと、
前記玉枠を光軸方向に駆動する駆動部とからなり、
前記つり軸は、円柱の円柱面に、軸方向に延びる少なくとも２つの、前記シャーシから遠いほど深い軸溝を設けた形状である撮像レンズ装置を提供している。
【０００９】
前記つり軸孔は、前記円柱面に嵌合する丸孔の円筒面に、軸方向に延びる少なくとも２つの、一端から他端に向かって深くなる孔溝を設けた形状であり、
前記孔溝は、前記つり軸の軸溝と対向するように配置されていてもよい。
【００１０】
また、本発明は、
つり軸が一体的に形成されたシャーシと、
該シャーシに取り付けられた撮像ユニットと、
レンズを保持する玉枠に形成したつり軸孔に前記シャーシのつり軸を嵌合して、前記玉枠を光軸方向に移動可能に支持し、前記撮像ユニットに被写体の光学像を結像する光学ユニットと、
前記玉枠を光軸方向に駆動する駆動部とからなり、
前記つり軸は、円柱の円柱面に、軸方向に延びる少なくとも２つの、前記シャーシから遠いほど深い軸溝を設けた形状である撮像装置を提供している。
【００１１】
前記つり軸孔は、前記円柱面に嵌合する丸孔の円筒面に、軸方向に延びる少なくとも２つの、一端から他端に向かって深くなる孔溝を設けた形状であり、
前記孔溝は、前記つり軸の軸溝と対向するように配置されていてもよい。
【発明の効果】
【００１２】
本発明によれば、玉枠のつり軸に設けた軸溝は、成形時に型抜きを容易にするための抜き勾配を構成するので、つり軸を高い傾き精度でシャーシと一体成形することができる。また、つり軸孔に設けた孔溝も、成形時に型抜きを容易にするための抜き勾配を構成するので、玉枠により長いつり軸孔を成形することができる。このため、玉枠のつり軸とつり軸孔の高精度の嵌め合いが実現でき、高精度の焦点調整が可能となる。
【発明を実施するための最良の形態】
【００１３】
以下、本発明の実施の形態を添付図面に従って説明する。
【００１４】
図１−３は、本発明の第１実施形態に係る撮像装置１を示す。この撮像装置１は、撮像ユニット２、シャーシ３、光学ユニット４、駆動部５、検出部６およびカバー７からなっている。
【００１５】
撮像ユニット２は、矩形形状を有し、その中央にＣＣＤセンサまたはＣＭＯＳセンサからなる光電変換部８を含む。撮像ユニット２は図示しない制御基板に実装される。撮像ユニット２は、１辺が約１０ｍｍ程度の大きさである。撮像ユニット２の形状は、本実施形態のような矩形に限らず、円形その他の形状のものも使用可能である。
【００１６】
シャーシ３は、撮像装置１の各ユニットを取り付けるためのベースであり、一辺が撮像ユニット２とほぼ同じで、他辺が撮像ユニット２よりも長い長方形を有している。シャーシ３の背面には、撮像ユニット２が取り付けられている。シャーシ３には、開口部９が形成され、該開口部９の中心を通りシャーシ３の面に直角な方向（以下、光軸方向またはｘ方向という。）に、撮像ユニット２の光電変換部８の中心が位置している。
【００１７】
開口部９の中心を通りシャーシ３の短辺に平行な方向（以下、ｙ方向という。）であって開口部９の両側には、先端に爪１０を有する１対の弾性片１１が突設されている。開口部９の中心を通りシャーシ３の長辺に平行な方向（以下、ｚ方向という。）であって開口部９の両側には、円柱状のつり軸１２と矩形柱状のガイド１３がそれぞれ突設されている。開口部９の中心を通る一方の対角線上の角部には、カバー７を支持する１対の支柱１４が突設されている。支柱１４の先端にはピン１５が突設されている。開口部９の中心を通る他方の対角線上の角部には、駆動部５のカムギヤ２６と検出部６がそれぞれ取り付けられているが、これらについては後述する。
【００１８】
前記シャーシ３上の１対の弾性片１１、つり軸１２、ガイド１３、１対の支柱１４および検出部６は、全て、図１中斜線で示された、撮像ユニット２の光軸方向の投影領域Ａ内に配置されている。また、カムギヤ２６の一部（この実施形態では、半分）も、同様に、撮像ユニット２の光軸方向の投影領域Ａ内に配置されている。さらに、モータ２４とウォームギヤ２５を含めた駆動部５のｙ方向の長さは、図２に示すように、撮像ユニット２のｙ方向の幅と略同一であり、モータ２４を含む駆動部５の光軸方向の厚みは、図３に示すように、撮像装置１全体の光軸方向の厚みと略同一になっている。
【００１９】
光学ユニット４は、レンズ１６を支持する玉枠１７からなっている。玉枠１７の外周面のＺ方向の一端には、９０°屈曲する突部１８が一体に設けられ、該突部１８につり軸孔１９が光軸に平行に形成されている。玉枠１７は、つり軸孔１９に前記シャーシ３のつり軸１２が光軸方向に摺動可能に嵌合することにより、ばね２０により撮像ユニット２に近づく方向に付勢されている。突部１８の先端には、突片状のカムフォロワ２１が形成されている。また、玉枠１７の外周面には、前記突部１８と反対側に、前記シャーシ３のガイド１３が嵌入する１対のガイド片２２が設けられている。さらに、玉枠１７の外周面には、前記シャーシ３の検出部６で検出される被検出片２３が設けられている。
【００２０】
駆動部５は、モータ２４と、該モータ２４の駆動軸に固着されたウォームギヤ２５と、前記カムギヤ２６からなっている。モータ２４は、その駆動軸が光軸に直交するようにシャーシ３に取り付けられている。カムギヤ２６は、前記ウォームギヤ２５に噛合し、その軸部２７が前記モータ２４の駆動軸に直交するように、シャーシ３に取り付けられている。カムギヤ２６は、その軸部２７に対して傾斜したカム面２８を有している。このカム面２８に前記玉枠１７のカムフォロア２１が摺動可能に圧接している。
【００２１】
検出部６は、玉枠１７に面し、光軸に平行なスロット２９を有し、該スロット２９の対向壁に図示しない発光素子と受光素子が設けられている。検出部６のスロット２９には、前記玉枠１７の被検出片２３が嵌入している。そして、玉枠１７が光軸方向に移動すると、その移動範囲のほぼ中間点で発光素子からの光が被検出片２３で遮断されることにより、玉枠１７の光軸方向の位置が検出されるようになっている。
【００２２】
カバー７は、前記シャーシ３の正面を覆うもので、前記シャーシ３とほぼ同じ長方形を有する。カバー７には、前記玉枠１７を臨む開口部３０を有している。また、開口部３０の両側には、前記シャーシ３の１対の弾性片１１の爪１０が係止する切欠き部３１が形成されている。さらに、開口部３０の中心を通る対角線上に前記シャーシ３の支柱１４の先端のピン１５が嵌合するピン孔３２が形成されている。カバー７は、ピン孔３２に前記シャーシ３の支柱１４の先端のピン１５が嵌合した後、該ピン１５を溶着することで、取り付けられる。
【００２３】
図４は、前記シャーシ３のつり軸１２の詳細を示す。つり軸１２は、樹脂（エンジニアリングプラスチック）からなるシャーシ３と一体に形成されている。このため、つり軸１２のシャーシ３に対する傾きが保証され、高精度の傾き精度が確保されている。つり軸１２は、一定の径を有する円柱の側面である円柱面１２ａに、シャーシ３側から遠くなるに従って一定の割合で深くなる円弧で切り取られた軸方向に延びる３本の軸溝１２ｂが設けられている。３本の軸溝１２ｂは、シャーシ３から遠いほど互いの距離が近くなるテーパを構成しており、成形時に抜き勾配となるのでつり軸１２の型抜きが容易である。
【００２４】
図５は、前記玉枠１７の突部１８に設けたつり軸孔１９の詳細を示す。つり軸孔１９は、一定の径を有する丸孔の円筒面１９ａに、下端から上端に向かって一定の割合で深くなる円弧で切り取られた３本の軸方向に延びる孔溝１９ｂが設けられている。３本の孔溝１９ｂが上側ほど互いの距離が遠くなるテーパを構成しており、成形時に抜き勾配となるのでつり溝孔１９の型抜きが容易である。このため、玉枠１７のつり軸孔１９を長くしても成形可能である。
【００２５】
図６は、つり軸１２とつり軸孔１９とが嵌合している様子を示し、図７は、図６のＡ−Ａ、Ｂ−ＢおよびＣ−Ｃ断面を示す。つり軸１２の円柱面１２ａとつり軸孔１９の円筒面１９ｂとは嵌め合いの関係にあり、３本の軸溝１２ｂによって分断された３つの円柱面１２ａと、３本の孔溝１９ｂによって分断された３つの円筒面１９ａとがそれぞれ密接している。玉枠１７は、つり軸１２に沿って光軸方向に摺動して移動することができるが、常に３つの円柱面１２ａと３つの円筒面１９ａとがそれぞれ密接するので軸直角方向にずれることがなく、高精度に焦点調整が可能である。
【００２６】
図８は、つり軸１２の形状の変形例を示す。この変形例では、円柱面１２ａを平面で切り取った軸溝１２ｂが２本設けられている。本発明において、軸溝１２ｂは、円柱面１２ａに対して凹んでいればよいので、このように平面で形成されていてもよく、凸面で形成されていてもよい。また、つり軸１２に、軸溝１２ｂを２本以上設ければ、成形時の抜き勾配を構成できる。無論、軸溝１２ｂを４本以上設けてもよい。
【００２７】
また、図９は、つり軸１２の形状の他の変形例を示す。この変形例では、軸溝１２は、２つの平面で構成されたＶ字型の溝であり、つり軸１２の全長に対して部分的に設けられている。このように、軸溝１２ｂは、複数の面からなるものであってもよく、つり軸１２の一部に設けても抜き勾配としての効果が得られる。さらに、軸溝１２ｂの深さは、直線的に深くならなくてもよく、単調増加していればよい（部分的に変化しなくてもよい）。
【００２８】
以上のようなつり軸１２の軸溝１２ｂの変形は、つり軸孔１９の孔溝１９ｂに適用することもでき、孔溝１９ｂは、形状の如何を問わず、一端から他端に向かって深さが単調増加していればよい。尚、つり軸１２の軸溝１２ｂは、型抜き方向が限定されているのでシャーシ３から遠くなるほど深くなるようにする必要があるが、つり軸孔１９の孔溝１９ｂの向きは、玉枠１７の形状によって、光軸方向のどちら向きに深さを単調増加させてもよい。
【００２９】
上述したように、本発明によるつり軸１２およびつり軸孔１９は、型抜きが容易で高精度の嵌め合いが可能な多様な形状が可能であり、これによって、高精度の焦点調整が可能な撮像装置が提供できる。
【００３０】
次に、図１−３を再度参照して、以上の構成からなる撮像装置の動作を説明する。
【００３１】
撮像装置１は、図示しない制御基板とともに携帯電話等の携帯機器に搭載され、カメラとして機能する。玉枠１７のレンズ１６を被写体に向けると、レンズ１６に入射する被写体の光は撮像ユニット２の光電変換部８に結像する。光電変換部８は、被写体の像を電気信号に変化し、図示しない液晶ディスプレイに出力する。これにより、ディスプレイに被写体の画像が表示される。この画像は、シャッタが押されると、メモリに記録される。
【００３２】
この撮像装置１では、以下に説明するように、被写体の遠近に応じて光学ユニット４を光軸方向に移動させて合焦調整すなわちフォーカシングを行なうことができる。駆動部５のモータ２４を正転駆動してウォームギヤ２５を回転させると、カムギヤ２６が回転する。カムギヤ２６のカム面２８に圧接している玉枠１７のカムフォロワ２１は、カム面２８に押圧される結果、光学ユニット４はばね２０の付勢力に抗して、被写体側に向かって光軸方向に移動する。この時、玉枠１７の被検出片２３が検出部６の発光素子から受光素子に向かう光を遮断すると、モータ２４を停止する。これにより、近距離の被写体に対するフォーカシング（マクロモード）が終了する。
【００３３】
続いて、モータ２４を逆転駆動すると、カムギヤ２６のカム面２８に圧接している玉枠１７のカムフォロワ２１は、カム面２８に追随して、ばね２０の付勢力により、撮像ユニット２に向かって光軸方向に移動する。この時、玉枠１７の被検出片２３が検出部６の発光素子から受光素子に向かう光の光路から離れると、モータ２４を停止する。これにより、標準の被写体に対するフォーカシング（標準モード）が終了する。
【００３４】
なお、カム面２８を多段にし、検出部６のセンサを複数設けることで、標準モードとマクロモード以外に２値以上の多値のフォーカシングを行なうこともできる。このような構成では、フォーカシングによる画像コントラストの変化を、撮像素子の画像信号から検出し、オートフォーカスを行なうこともできる。また、複数のレンズ群（玉枠）からなる光学ユニットを用いると、同様の機構により、１つのレンズ群（玉枠）を移動させてフォーカシングを行なう、あるいは複数のレンズ群を移動させてズーミングを行なうこともできる。
【００３５】
この撮像装置１では、前述したように、駆動部５であるカムギヤ２６の一部、つり軸１２、ガイド１３、１対の弾性片１１、１対の支柱１４、および検出部６は、全て、図中斜線で示された撮像ユニット２の光軸方向の投影領域Ａ内に配置されている。このため、撮像装置１は、撮像ユニット２とほぼ同じ大きさとなり、駆動部５を有するにも拘わらず小型化される。また、駆動部５のｙ方向の長さは撮像ユニット２のｙ方向の幅と略同一であり、駆動部５の光軸方向の厚みは撮像装置１全体の光軸方向の厚みと略同一になっているので、撮像ユニット２の小型化に伴い、撮像装置１全体も小型化される。
【００３６】
図１０は、第１実施形態の変形例による撮像装置１’を示す。この撮像装置１’では、つり軸１２が、矩形の投影領域Ａの角部、すなわち、カムギヤ２６と玉枠１７の光学中心を結ぶ線上に配置されて、角部の広いスペースが有効に活用されている。
【００３７】
図１１は、第１実施形態の他の変形例による撮像装置１"を示す。この撮像装置１"では、モータ２４は、端子３３が被写体側から見て左側に位置するように、第１実施形態とは逆向きに配置されている。これに伴い、カムギヤ２６も、第１実施形態と異なり、被写体側から見て右側に配置されている。検出部６は、モータ２４に隣接し、かつ、端子３４がモータ２４と同じ側に突出するように、配置されている。このように、モータ２４と検出部６の端子３３，３４が同一方向になっているので、配線が容易であり、例えば基板３７を直接取り付けることができる。また、ガイド１３は、玉枠１７の両側に一対設けられている。
【図面の簡単な説明】
【００３８】
【図１】本発明の第１実施形態による撮像装置の分解斜視図。
【図２】図１の撮像装置の正面図。
【図３】図２の断面図。
【図４】つり軸の斜視図。
【図５】光学ユニットのつり軸孔を有する突部の部分斜視図。
【図６】つり軸とつり軸孔の嵌合状態を示す断面図。
【図７】図６のつり軸とつり軸孔の嵌合状態を示す軸直角断面図。
【図８】図４の変形例のつり軸の斜視図。
【図９】図４の他の変形例のつり軸の斜視図。
【図１０】図２の撮像装置の変形例を示す正面図。
【図１１】図２の撮像装置の他の変形例を示す正面図。
【符号の説明】
【００３９】
１  撮像装置
２  撮像ユニット
４  光学ユニット
５  駆動部
６  検出部
１２  つり軸
１２ａ  円柱面
１２ｂ  軸溝
１６  レンズ
１７  玉枠
１９  つり軸孔
１９ａ  円筒面
１９ｂ  孔溝
【図１】
2005308873.tif 000003
【図２】
2005308873.tif 000004
【図３】
2005308873.tif 000005
【図４】
2005308873.tif 000006
【図５】
2005308873.tif 000007
【図６】
2005308873.tif 000008
【図７】
2005308873.tif 000009
【図８】
2005308873.tif 000010
【図９】
2005308873.tif 000011
【図１０】
2005308873.tif 000012
【図１１】
2005308873.tif 000013